(57)【要約】【課題】枠材に帯板からなる筋交いを取り付けるに際して、枠材に仕上げ材を貼る際に邪魔にならないような筋交いの接合構造を得る。【解決手段】矩形状の枠材３，５に帯板状の筋交い９を、接合部材７を介して接合する筋交いの接合構造であって、接合部材７は、平断面略Ｌ字状に形成された板状部材からなり、枠材３，５の内面側に当接して枠材３，５に接合される枠材接合部と、筋交い９が接合される筋交い接合部を備えてなり、接合部材７を枠材３，５に取り付けた状態において、枠材接合部より筋交い接合部が枠材３，５の内面側になるように形成されており、接合部材７を、枠材接合部を枠材３，５の内面側に当接してタッピンねじ接合することによって枠材３，５に取り付け、枠材３，５に取り付けられた接合部材７の筋交い接合部に筋交い９を当接させてタッピンねじ接合し、この接合状態において筋交い９を接合するタッピンねじの頭部が枠材３，５の外面よりも外方に出っ張らないようにした。【選択図】  図１
2011038401.tif 000002
【特許請求の範囲】
【請求項１】
鋼製の縦材と上下横材により矩形状に構成された枠材に、帯板状の筋交いを、接合部材を介して接合する筋交いの接合構造であって、
前記接合部材は、前記枠材の内面側に当接して該枠材に接合される枠材接合部と、前記筋交いが接合される筋交い接合部を備えてなり、前記接合部材を前記枠材に取り付けた状態において、前記枠材接合部より前記筋交い接合部が前記枠材の内面側になるように形成されており、
前記接合部材は、平断面略Ｌ字状に形成された板状部材からなる本体部と、Ｌ字の一方の片部の端部から延出する脚片部を有し、該脚片部が横枠材に接合される枠材接合部になっており、Ｌ字の他方の片部が縦枠材に接合されており、
前記接合部材を、前記枠材接合部を前記枠材の内面側に当接してタッピンねじ接合することによって前記枠材に取り付け、該枠材に取り付けられた前記接合部材の前記筋交い接合部に前記筋交いを当接させてタッピンねじ接合し、この接合状態において前記筋交いを接合するタッピンねじの頭部が前記枠材の外面よりも外方に出っ張らないようにしたことを特徴とする筋交いの接合構造。
【請求項２】
矩形枠材に帯板状の筋交いを接合してなる耐力壁パネルであって、
前記矩形枠材と前記筋交いが、請求項１記載の筋交いの接合構造によって接合されていることを特徴とする耐力壁パネル。
【発明の詳細な説明】
【技術分野】
【０００１】
本発明は、帯板状の筋交いの接合構造及び該接合構造を用いた耐力壁パネルに関する。
【背景技術】
【０００２】
薄板軽量形鋼製を用いたスチールハウスにおいては、薄板軽量形鋼製の枠材に面材または筋交いを取り付けて耐力壁パネルが構成されている。
このような耐力壁パネルのうち帯板状の筋交いを用いたものにおいて、筋交いの端部における接合は以下のようになされている。
縦枠材と横枠材の接合部となるコーナ部において、その外側面に矩形板状のガセットプレートをタッピンねじにより固着する。そして、ガセットプレートのさらに外面に筋交いの端部を当接して、外側から複数のタッピンねじによって固着する（特許文献１参照）。
【先行技術文献】
【特許文献】
【０００３】
【特許文献１】特開平９−２７３２４８号公報（図１、図２、図１０、図１４、図１８、図２０）
【発明の概要】
【発明が解決しようとする課題】
【０００４】
薄板軽量形鋼からなる帯板を筋交いとした耐力壁は、合板等の面材を使用した耐力壁に較べて品質が安定し、白蟻被害もないなどの優位性がある。また、鋼板を表面材に使用した耐力壁に較べては剛性、耐力調整が容易であるという特徴もある。
このように、薄板軽量形鋼からなる帯板を筋交いとして用いることについては種々の優位性および特徴がある。
にもかかわらず、薄板軽量形鋼を筋交いとして用いることが普及してない。
この理由は以下の点にある。
【０００５】
上記の特許文献１に示された耐力壁パネルにおいては、枠材の外側面に仕上げ材を貼る。しかし、縦枠材と横枠材の接合されるコーナ部では、枠材の外側面にガセットプレートが取り付けられ、その外側面に筋交いがビス止めされる。筋交いの端部においては、筋交いの端部接合部を介して筋交いの引張力が枠材に伝達するので、引張力に耐えうるだけの接合部の耐力が必要である。そのため、多数のビスを狭い面積の中に打つ必要がある。
【０００６】
このような筋交い端部の接合構造においては、筋交い端部において、枠材の外面よりもビス頭部が、ガセットプレートの厚みと、筋交いの厚み、さらにはビスの頭部厚みを加えた分だけ（５〜６ｍｍ程度）外方へ突出する、いわゆる不陸が生じることになる。
そのため、この外方への突出部が仕上げ材を貼る際に邪魔になり施工性が悪いと共に、外観も悪くなるという問題がある。
この点、突出部の厚み分に相当する板材を枠材に設置して枠材の外面を面一にすることも考えられるが、そのようにするにはかなりの手間がかかる。
【０００７】
上記のような、問題は軽量形鋼の枠材からなるスチールハウスに限られず、例えば軽量鉄骨からなる枠材に帯板からなる筋交いを取り付ける場合にも生ずる。
【０００８】
本発明はかかる課題を解決するためになされたものであり、枠材に帯板からなる筋交いを取り付けるに際して、枠材に仕上げ材を貼る際に邪魔にならないような筋交いの接合構造を得ることを目的としている。
また、上記のような接合構造を備えた耐力壁パネルを得ることを目的としている。
【課題を解決するための手段】
【０００９】
（１）本発明に係る筋交いの接合構造は、鋼製の縦材と上下横材により矩形状に構成された枠材に、帯板状の筋交いを、接合部材を介して接合する筋交いの接合構造であって、接合部材は、枠材の内面側に当接して枠材に接合される枠材接合部と、筋交いが接合される筋交い接合部を備えてなり、接合部材を枠材に取り付けた状態において、枠材接合部より筋交い接合部が枠材の内面側になるように形成されており、
前記接合部材は、平断面略Ｌ字状に形成された板状部材からなる本体部と、Ｌ字の一方の片部の端部から延出する脚片部を有し、該脚片部が横枠材に接合される枠材接合部になっており、Ｌ字の他方の片部が縦枠材に接合されており、
前記接合部材を、枠材接合部を枠材の内面側に当接してタッピンねじ接合することによって枠材に取り付け、枠材に取り付けられた前記接合部材の筋交い接合部に筋交いを当接させてタッピンねじ接合し、この接合状態において筋交いを接合するタッピンねじの頭部が枠材の外面よりも外方に出っ張らないようにしたことを特徴とするものである。
【００１０】
（２）また、本発明に係る耐力壁パネルは、矩形枠材に帯板状の筋交いを接合してなる耐力壁パネルであって、矩形枠材と筋交いが、上記（１）に記載の筋交いの接合構造によって接合されていることを特徴とするものである。
【発明の効果】
【００１１】
本発明においては、帯板状の筋交いを枠材に取り付けた状態において筋交いを接合するタッピンねじの頭部が前記枠材の外面よりも外方に出っ張らないようにしたので、仕上げ材を枠材に接合する際に筋交いを接合するタッピンねじ頭部が邪魔にならず、仕上げ材の施工が円滑に行え、作業性に優れると共に仕上げが美しくできる。
【図面の簡単な説明】
【００１２】
【図１】本発明の一実施形態である筋交いの接合構造を適用した耐力壁パネルの説明図である。
【図２】図１の一部を拡大して示す拡大図である。
【図３】本発明の一実施の形態に係る接合部材の斜視図である。
【図４】本発明の一実施の形態に係る筋交い接合構造の断面図である（その１）。
【図５】本発明の一実施の形態に係る筋交い接合構造の断面図である（その２）。
【図６】本発明の一実施形態に係る接合部材の他の態様の斜視図である。
【発明を実施するための形態】
【００１３】
図１は本発明の一実施形態である筋交いの接合構造を適用した耐力壁パネルの説明図、図２は図１の破線丸で囲んだ部分を拡大して示す拡大図である。図１、図２に基づいて本実施の形態を説明する。
耐力壁パネル１は、薄板軽量形鋼製の横枠材３と、同じく薄板軽量形鋼製の縦枠材５からなる矩形の枠材に、接合部材７を介して筋交い９を接合して構成されている。なお、この例では枠の中央部に間柱８が設置されている。
【００１４】
横枠材３は薄板軽量形鋼製の溝形鋼からなる。また、縦枠材５は薄板軽量形鋼製のリップ溝形鋼と、薄板軽量形鋼製の角形鋼（以下、「軽角形鋼」という。）からなり、軽角形鋼の片面にリップ溝形鋼の底面を接合して形成されている。
なお、薄板軽量形鋼は厚さ2.3mm未満の鋼板からなる部材をいう。
また、筋交い９は、帯板状の薄板軽量形鋼からなる。
【００１５】
接合部材７は、図２および図３に示すように、平断面が略Ｌ字状に形成された板状部材からなる本体部と、Ｌ字を構成する片部７ａ、７ｂのうち、一方の片部７ａの端部にクランク状の折曲部７ｃを介して形成された帯板状の脚片部７ｄとを備えてなる。
このような接合部材７においては、図２に示されるように、片部７ａの外面側に筋交い９がタッピンねじ１１によって接合され、この片部７ａが本発明の筋交い接合部となる。また、片部７ｂは縦枠材５にタッピンねじ１３によって接合される。さらに、脚片部７ｄは横枠材３にタッピンねじ１５によって接合され、この脚片部７ｄは本発明の枠材接合部となる。
【００１６】
図４は筋交い９を接合部材７を介して枠材に接合した状態における、片部７ａ位置における平断面図である（横枠材３は図示を省略している）。また、図５は、同じく筋交い９を接合部材７を介して枠材に接合した状態における、脚片部７ｄ位置における平断面図である。
なお、図４および図５においては、枠材を基礎に接合するためのホールダウン金物１７が示されている。
【００１７】
図４に示されるように、接合部材７における片部７ａ（筋交い接合部）は、縦枠材の外側面５ａよりも、筋交い９の厚みＳとタッピンねじ頭厚みＢを加えた長さだけパネル内側に配置されている。そして、この例では片部７ｂの端辺が縦枠材５の内側面５ｂと面一になるように配置されており、その結果、片部７ｂの幅Ｗ１（図３参照）と縦枠材幅Ｌとの関係は下式で示されるようになっている。
筋交い接合部幅Ｗ１＝{縦枠材幅Ｌ−（筋交い９の厚みＳ＋タッピンねじ頭厚みＢ）}
【００１８】
上式で示すように片部７ｂの幅Ｗ１を設定することにより、筋交い９を接合した際に、筋交い９を接合するタッピンねじの頭部と縦枠材５の外側面が面一になる。
【００１９】
なお、片部７ｂの端辺が縦枠材５の内側面５ｂと面一になるように配置することを前提として、片部７ｂの幅Ｗ１を下式で示すように設定すれば、筋交い９を接合した際に、筋交い９を接合するタッピンねじの頭部が縦枠材５の外側面よりも突出しないようになる。
筋交い接合部幅Ｗ１≦{縦枠材幅Ｌ−（筋交い９の厚みＳ＋タッピンねじ頭厚みＢ）}
【００２０】
上記のように片部７ｂの幅Ｗ１を設定すれば、接合部材７を縦枠材５に取り付けるに際して、片部７ｂの端辺を縦枠材５の内側面５ｂと面一になるように配置しさえすれば、筋交い９を接合するタッピンねじの頭部が縦枠材５の外側面よりも突出しないようにできるので、施工性に優れる。
【００２１】
横枠材３における接合部材７との接合部においては、図５に示されるように、横枠材３の外側面に、タッピンねじの頭部が挿入される凹部が例えばバーリング加工によって形成されている。そして、接合部材７における脚片部７ｄは縦枠材の外側面５ａよりも、凹部１９の加工深さＤだけパネル内側に配置されている。
この例では上記の状態で片部７ｂの端辺が縦枠材５の内側面５ｂと面一になるように配置されているので、片部７ｂの端辺から片部７ｄの外面までの距離Ｗ２（図３参照）と縦枠材幅Ｌとは下式に示す関係になっている。
距離Ｗ２＝{縦枠材幅Ｌ−凹部加工深さＤ}
【００２２】
距離Ｗ２を上記のように設定することにより、縦枠材５に接合部材を取り付けた状態で縦枠材５を横枠材３に挿入した際に、図５に示すように、接合部材７における脚片部７ｄの外面が横枠材３の凹部１９の内側底面と当接する。この状態で横枠材３の外方からタッピンねじ１５をねじ込むことで、タッピンねじの頭部を凹部内に収容した状態で接合部材７を横枠材３に接合できる。よって、タッピンねじの頭部が横枠材３の外側面から突出することがない。
【００２３】
以上のように、本実施の形態においては、枠材に筋交い９を接合する接合部材７を、平断面略Ｌ字状からなり、Ｌ字の一方の片部７ａの端部にクランク状の折曲部７ｃを介して帯板状の脚片部７ｄを形成し、筋交い９を接合した状態において、筋交い９を接合するタッピンねじの頭部が枠材の外面よりも外方に出っ張らないようにしたので、仕上げ材を枠材に設置する際の施工が容易となり、また美しい仕上げとなる。
【００２４】
また、本実施の形態においては、横枠材３における接合部材７との接合部にタッピンねじの頭部が収容される凹部１９を設けたので、横枠材３と接合部材７との接合部においても、タッピンねじの出っ張りがなく、仕上げ材を円滑かつ美しく施工できる。
【００２５】
接合部材７は脚片部７ｄを横枠材３に接合するのみならず片部７ｂを縦枠材に接合することによって枠材に取り付けられている。一般に横枠側のビス本数は縦枠側より少ないので（通常１/３〜１/２程度）横枠材３と脚片部７ｄの接合のためのタッピンねじ１５の数は数本程度で足りる。このため、タッピンねじ１５の出っ張りの影響はさほど大きくないので、凹部１９を設けなくても差し支えない場合もある。
【００２６】
なお、上記の実施の形態においては、筋交い９を耐力壁パネル１の片面に設置する例を示したが、本発明はこれに限られるものではなく、耐力壁パネル１の両面に筋交い９を設置する場合も含む。
筋交い９を耐力壁パネル１の両面に設置する場合に用いる接合部材７の一例を図６に示す。
図６に示す接合部材２１は、断面略コ字状に形成された板状部材からなる本体部と、コ字の向かい合う二つの片部２１ａ、２１ｂにそれぞれクランク状の屈曲部２１ｃ、２１ｄを介して形成された帯板状の脚片部２１ｅ、２１ｆを備えてなる。そして、脚片部２１ｅ、２１ｆが横枠材３に接合される枠材接合部になっており、他の片部２１ｇが縦枠材５に接合される。
【００２７】
上記のような接合部材２１において、片部２１ｇの幅Ｗ３は、下式で示すように設定されている。
片部２１ｇの幅Ｗ３≦{縦枠材幅Ｌ−２（筋交い厚Ｓ＋タッピンねじ頭厚Ｂ）}
また、脚片部２１ｅ、２１ｆの外面間の距離Ｗ４は下式で示すように設定されている。
脚片部２１ｅ、２１ｆの外面間の距離Ｗ４＝{縦枠材幅Ｌ−２（横枠材凹部加工深さ）}
【００２８】
図６に示す接合部材２１を用いることにより、耐力壁パネル１の両面に筋交い９を施工でき、枠材にねじり力が作用しないようにできる。
【００２９】
上記の実施の形態においては、筋交い９を接合部材７、２１の外面側に接合する例を示したが、筋交い９を接合部材７、２１の内面側に接合してもよい。この場合には、接合部材７、２１における筋交い接合部を、上記の実施の形態の場合よりも筋交い９の厚み分だけ外面側に配置できる。
【００３０】
また、上記の実施の形態の枠材が薄板軽量形鋼製の場合について説明したが、本発明はこれに限られるものではなく、枠材が軽量鉄骨の場合にも適用できる。
【符号の説明】
【００３１】
１  耐力壁パネル、３  横枠材、５  縦枠材、７、２１  接合部材、９  筋交い、
１１，１３，１５  タッピンねじ、凹部。
【図１】
2011038401.tif 000003
【図２】
2011038401.tif 000004
【図３】
2011038401.tif 000005
【図４】
2011038401.tif 000006
【図５】
2011038401.tif 000007
【図６】
2011038401.tif 000008